(57)【特許請求の範囲】
【請求項１】
移動通信端末の本体に設けられ、音響信号の入力のための主マイクとして使用される第１のマイクと、
前記第１のマイクの方向とは異なる方向に移動通信端末の外部に露出するように設けられ、音響信号の入力のための補助マイクとして使用される第２のマイクと、
前記第１及び第２のマイクを介して入力される音響信号からノイズを除去して出力する音声及びノイズ処理部と、
前記音声及びノイズ処理部から入力される信号の経路を切り替えて伝達するサービス選択部と、
前記サービス選択部を介して伝達される信号をエンコードしてメモリに格納し録音する音声録音機能処理部と、
前記サービス選択部を介して伝達される信号をコードしてモデムに出力する音声コデック処理部と、
ユーザ機能キーの入力によって前記第１及び第２のマイクを活性化し、前記音声及びノイズ処理部と前記サービス選択部の動作を制御する制御部と、を含むことを特徴とする移動通信端末における音声処理装置。
【請求項２】
前記音声及びノイズ処理部は、
前記制御部の制御によって動作を遂行し、前記第１及び第２のマイクを介して信号が入力されると、その中に格納されている音声信号の識別のための信号識別情報に基づいて入力信号から音声信号を識別して出力する音声信号識別部と、
前記制御部の制御によって動作を遂行し、前記音声信号識別部からの入力音声信号から前記第２のマイクを介して入力された信号のノイズに基づいてノイズを除去するか、または、前記音声信号識別部からの音声信号と第２のマイクからの信号をノイズ除去処理なしにそのままバイパスするノイズ処理部と、
前記制御部の制御によって動作を遂行し、前記ノイズ処理部を介して入力されたノイズ除去済み信号に対して更にフィルタリングを施すか、前記ノイズ処理部を介してバイパスされ入力された二つの入力信号を結合するか、または、そのままバイパスして前記サービス選択部に伝達する信号フィルタリング／結合処理部と、を含むことを特徴とする請求項１に記載の移動通信端末における音声処理装置。
【請求項３】
前記音声録音機能処理部は、前記第１及び第２のマイクを介して入力される音響信号をステレオ処理するためのステレオ処理部を含むことを特徴とする請求項１に記載の移動通信端末における音声処理装置。
【請求項４】
前記ステレオ処理部は、
前記第１のマイクの入力信号及び前記第２のマイクの入力信号を同期化させるために、前記第１のマイクの入力信号を遅延させる第１の遅延時間調整部と前記第２のマイクの入力信号を遅延させる第２の遅延時間調整部と、
前記同期化された第１のマイクの入力信号を所定時間の間遅延させる第１の遅延時間制御部と、
前記第１の遅延時間制御部の出力値を所定の割合で減衰させる第１の乗算器と、
前記第１の乗算器の出力値と前記第２の遅延時間調整部の出力値とを合算する第１の加算器と、
前記同期化された第２のマイクの入力信号を所定時間の間遅延させる第２の遅延時間制御部と、
前記第２の遅延時間制御部の出力値を所定の割合で減衰させる第２の乗算器と、
前記第２の乗算器の出力値と前記第１の遅延時間調整部の出力値とを合算する第２の加算器、及び
前記第１の加算器の出力と前記第２の加算器の出力をエンコードする音響コデック処理部と、を含むことを特徴とする請求項３に記載の移動通信端末における音声処理装置。
【請求項５】
前記音声及びノイズ処理部は、
前記制御部の制御によって動作を遂行し、前記第１及び第２のマイクを介して信号が入力されると、その中に格納されている音声信号の識別のための信号識別情報に基づいて入力信号から音声信号を識別して出力する音声信号識別部と、
前記制御部の制御によって動作を遂行し、前記音声信号識別部からの入力音声信号から前記第２のマイクを介して入力された信号のノイズに基づいてノイズを除去するか、または、前記音声信号識別部からの音声信号と第２のマイクからの信号をノイズ除去処理なしにそのままバイパスするノイズ処理部と、
前記制御部の制御によって動作を遂行し、前記ノイズ処理部を介して入力されたノイズ除去済み信号に対して更にフィルタリングを施すか、前記ノイズ処理部を介してバイパスされた二つの入力信号を結合するか、または、そのままバイパスして前記サービス選択部に伝達する信号フィルタリング／結合処理部と、を含むことを特徴とする請求項３に記載の移動通信端末における音声処理装置。
【請求項６】
移動通信端末の一方側面に設けられた第１のマイクと、
前記移動通信端末の他方側面に設けられた第２のマイクと、
前記第１のマイクを介して受信した第１の音響信号及び前記第２のマイクを介して受信した第２の音響信号をバイパスして出力するか、または、前記第１の音響信号及び第２の音響信号からそれぞれノイズを除去して出力する音声及びノイズ処理部と、
前記音声及びノイズ処理部から出力される信号をエンコードする音声録音機能処理部、及び
前記第１の音響信号及び第２の音響信号の録音方式に応じて前記音声及びノイズ処理部及び前記音声録音機能処理部の作動を制御する制御部と、を含むことを特徴とする移動通信端末における音声処理装置。
【請求項７】
前記第１の音響信号及び前記第２の音響信号の録音方式がモノ方式であれば、前記音声及びノイズ処理部は、
前記第１の音響信号及び前記第２の音響信号に含まれたノイズを除去するノイズ処理部、及び
前記ノイズ除去済みの第１の音響信号及び第２の音響信号を結合して合成信号を生成する信号フィルタリング／結合処理部を含むことを特徴とする請求項６に記載の移動通信端末における音声処理装置。
【請求項８】
前記第１の音響信号及び前記第２の音響信号の録音方式がモノ方式であれば、前記音声及びノイズ処理部は、
前記第１の音響信号及び前記第２の音響信号に対するノイズ除去処理なしにそのままバイパスするノイズ処理部、及び
前記バイパスされる前記第１の音響信号及び前記第２の音響信号を結合して合成信号を生成する信号フィルタリング／結合処理部を含むことを特徴とする請求項６に記載の移動通信端末における音声処理装置。
【請求項９】
前記第１の音響信号及び前記第２の音響信号の録音方式がステレオ方式であれば、前記音声及びノイズ処理部は、前記第１の音響信号及び前記第２の音響信号に対するノイズ除去処理なしにそのままバイパスすることを特徴とする請求項６に記載の移動通信端末における音声処理装置。
【請求項１０】
音声通話機能が選択される場合に、制御部によって、音響信号主入力用として使用するための第１のマイクと外部に露出するように前記第１のマイクの方向とは異なる方向に設けられ音響信号補助入力用として使用するための第２のマイクを活性化し、音声及びノイズ処理部によって前記第１のマイクから入力された信号から第２のマイクから入力された信号のノイズに基づいてノイズを除去してから更にフィルタリングしてサービス選択部を介して音声コデック処理部に伝達し、音声コデック処理部によってコードしてモデムに出力するステップと、
音声録音機能が選択される場合に、前記制御部によって、前記移動通信端末のフォルダーまたはスライダーがオープンされた状態であれば前記第１及び第２のマイクを活性化し、音声及びノイズ処理部によって前記第１のマイクから入力された信号から第２のマイクから入力された信号のノイズに基づいてノイズを除去してから更にフィルタリングしてサービス選択部を介して音声録音機能処理部に伝達し、音声録音機能処理部によってエンコードしてメモリに格納し録音するステップと、を含むことを特徴とする移動通信端末における音声処理方法。
【請求項１１】
動画撮影機能が選択される場合に、前記制御部によって、前記第１及び第２のマイクを活性化し、音声及びノイズ処理部によって前記第１及び第２のマイクを介して入力された信号に対してノイズ除去処理や更なるフィルタリング処理を施すことなく第１及び第２のマイクの信号をそのまま結合してサービス選択部を介して音声録音機能処理部に伝達し、音声録音機能処理部によってエンコードしてメモリに格納しモノ方式で録音するステップを更に含むことを特徴とする請求項１０に記載の移動通信端末における音声処理方法。
【請求項１２】
動画撮影機能が選択される場合に、前記制御部によって、前記第１及び第２のマイクを活性化し、音声及びノイズ処理部によって前記第１及び第２のマイクを介して入力された信号に対してノイズ除去処理や更なるフィルタリング処理を施すことなく第１及び第２のマイクの信号をそのままバイパスしてサービス選択部を介して音声録音機能処理部に伝達し、音声録音機能処理部によってステレオ処理しエンコードしてメモリに格納しステレオ方式で録音するステップを更に含むことを特徴とする請求項１０に記載の移動通信端末における音声処理方法。
【請求項１３】
音声録音機能が選択される場合に、前記制御部によって、前記移動通信端末のフォルダーまたはスライダーがクローズされた状態であれば前記第２のマイクを活性化し、音声及びノイズ処理部によって前記第２のマイクを介して入力された信号に対してノイズ除去処理や更なるフィルタリング処理を施すことなく第２のマイクの信号をそのままサービス選択部を介して音声録音機能処理部に伝達し、音声録音機能処理部によってエンコードしてメモリに格納し録音するステップを更に含むことを特徴とする請求項１０に記載の移動通信端末における音声処理方法。
【請求項１４】
前記移動通信端末のフォルダーまたはスライダーがクローズされた状態における音声録音機能を選択するための録音機能キーは、移動通信端末の外部に露出するように設けられていることを特徴とする請求項１３に記載の移動通信端末における音声処理方法。
【請求項１５】
音声録音が選択された場合に、前記制御部によって、前記移動通信端末のフォルダーまたはスライダーがオープンされた状態であれば前記第１及び第２のマイクを活性化し、音声及びノイズ処理部によって前記第１及び第２のマイクを介して入力された信号に対してノイズ除去処理や更なるフィルタリング処理を施すことなく第１及び第２のマイクの信号をそのまま結合してサービス選択部を介して音声録音機能処理部に伝達し、音声録音機能処理部によってエンコードしてメモリに格納し録音するステップを更に含むことを特徴とする請求項１０に記載の移動通信端末における音声処理方法。
【請求項１６】
音声通話機能が選択される場合に、制御部によって、音響信号主入力用として使用するための第１のマイクと外部に露出するように前記第１のマイクの方向とは異なる方向に設けられ音響信号補助入力用として使用するための第２のマイクを活性化し、音声及びノイズ処理部によって前記第１のマイクから入力された信号から第２のマイクから入力された信号のノイズに基づいてノイズを除去してから更にフィルタリングしてサービス選択部を介して音声コデック処理部に伝達し、音声コデック処理部によってコードしてモデムに出力するステップと、
動画撮影機能が選択される場合に、前記制御部によって、前記第１及び第２のマイクを活性化し、音声及びノイズ処理部によって前記第１及び第２のマイクを介して入力された信号に対してノイズ除去処理や更なるフィルタリング処理を施すことなく第１及び第２のマイクの信号を結合してサービス選択部を介して音声録音機能処理部に伝達し、音声録音機能処理部によってエンコードしてメモリに格納しモノ方式で録音するステップと、を含むことを特徴とする移動通信端末における音声処理方法。
【請求項１７】
動画撮影機能が選択される場合に、前記制御部によって、前記第１及び第２のマイクを活性化し、音声及びノイズ処理部によって前記第１及び第２のマイクを介して入力された信号に対してノイズ除去処理や更なるフィルタリング処理を施すことなく第１及び第２のマイクの信号をそのまま結合してサービス選択部を介して音声録音機能処理部に伝達し、音声録音機能処理部によってエンコードしてメモリに格納しモノ方式で録音するステップを更に含むことを特徴とする請求項１６に記載の移動通信端末における音声処理方法。
【請求項１８】
移動通信端末に設けられた第１のマイク及び第２のマイクを介して受信される音響信号を、制御部によって処理する方法において、
前記第１のマイクを介して第１の音響信号を受信し、前記第２のマイクを介して第２の音響信号を受信するステップ（ａ）と、
前記受信された第１の音響信号及び第２の音響信号の録音方式がモノ方式に設定されたかステレオ方式に設定されたかを判断するステップ（ｂ）と、
前記（ｂ）の判断結果、前記受信された第１の音響信号及び第２の音響信号の録音方式がモノ方式に設定された場合に、前記第１の音響信号及び第２の音響信号を結合して合成信号を生成するステップ（ｃ）と、
前記合成信号をエンコードしてモノ方式で格納するステップ（ｄ）と、
前記（ｂ）の判断結果、前記受信された第１の音響信号及び第２の音響信号の録音方式がステレオ方式に設定された場合に、第１の音響信号及び第２の音響信号をそれぞれエンコードしてステレオ方式で格納するステップ（ｅ）と、を含むことを特徴とする移動通信端末における音声処理方法。
【請求項１９】
前記（ｂ）の判断結果、前記第１の音響信号及び第２の音響信号の録音方式がモノ方式に設定された場合に、第２の音響信号のノイズに基づいて前記第１の音響信号のノイズを除去するステップを更に含むことを特徴とする請求項１８に記載の移動通信端末における音声処理方法。
【発明の詳細な説明】
【技術分野】
【０００１】
本発明は、移動通信端末における音声処理に係り、特に、音声通話時に移動通信端末に設けられた複数のマイクを利用して周辺ノイズからノイズを除去することで良質の音声通話ができるようにすると共に音声録音及び動画撮影時に当該マイクの組合によってオリジナルサウンドを生々しく録音できるようにする移動通信端末における音声処理装置及び方法に関する。
【背景技術】
【０００２】
一般に、音声通話サービスを提供する通信機器は、通話者の音声を効果的に伝達するために周辺ノイズを除去する技術を採用している。
【０００３】
従来の移動通信端末では、音声通話時にユーザに良質の通話音声を提供するために周辺ノイズ干渉を除去する処理を行っていたが、かかる処理は、単にフィルターを利用して低い強さのレベルで入力される周辺ノイズを除去し、相対的に高い強さのレベルで入力される音声信号のみを増幅して伝送する方式で行う。しかしながら、かかる従来の周辺ノイズ干渉除去技術では、単にフィルターを使用してノイズを除去するため、技術の実現が簡単であるという長所があるが、周辺ノイズが大きい地域では周辺ノイズの除去時に音声信号も一緒に除去されてしまい、相手に伝達される通話者音声信号が途切れて聞こえなかったりするという問題がある。
【０００４】
そして、技術の発展に伴う移動通信端末に備えられる機能モジュールの高性能化及び小型化とユーザの要求の多様化によってカメラ、ＭＰ３などの多様な機能が移動通信端末に更に組み込まれており、その中には外部の音声録音や通話内容を録音する機能が含まれている。かかる外部の音声録音や通話内容を録音する機能は、移動通信端末に備えられた別途のメニューを選択することで実行されるものであって、常にユーザが移動通信端末のフォルダーまたはスライダーをオープンしメニューから当該機能を選択しなければならず、フォルダーまたはスライダーをクローズした状態では音の入力のためのマイクが隠されているため、録音のためにはユーザが移動通信端末のフォルダーまたはスライダーを必ずオープンしなければならないという不便さがある。
【発明の概要】
【発明が解決しようとする課題】
【０００５】
本発明は、上述したような従来技術の問題点を解決するために提案されたものであって、その目的は、音声通話時に複数のマイクを利用して周辺ノイズを除去することで高品質の音声通話及びビデオ通話を可能にし、ユーザが移動通信端末をオープンしなくても音声録音を可能にする移動通信端末における音声処理装置及び方法を提供することである。
【０００６】
そして、本発明は、音声を録音する場合、または動画撮影時の音響を録音する場合に、移動通信端末に設けられた複数のマイクを効率よく活用して良質の録音を可能にする移動通信端末における音声処理装置及び方法を提供することである。
【課題を解決するための手段】
【０００７】
上述したような目的を達成するための本発明による移動通信端末における音声処理装置は、 移動通信端末の本体に設けられ、音響信号の入力のための主マイクとして使用される第１のマイクと、上記第１のマイクの方向とは異なる方向に移動通信端末の外部に露出するように設けられ、音響信号の入力のための補助マイクとして使用される第２のマイクと、上記第１及び第２のマイクを介して入力される音響信号からノイズを除去して出力する音声及びノイズ処理部と、上記音声及びノイズ処理部から入力される信号の経路を切り替えて伝達するサービス選択部と、上記サービス選択部を介して伝達される信号をエンコードしてメモリに格納し録音する音声録音機能処理部と、上記サービス選択部を介して伝達される信号をコードしてモデムに出力する音声コデック処理部と、ユーザ機能キーの入力によって上記第１及び第２のマイクを活性化し、上記音声及びノイズ処理部と上記サービス選択部の動作を制御する制御部と、を含む。
【０００８】
上記音声及びノイズ処理部は、上記制御部の制御によって動作を遂行し、上記第１及び第２のマイクを介して信号が入力されると、その中に格納されている音声信号の識別のための信号識別情報に基づいて入力信号から音声信号を識別して出力する音声信号識別部と、上記制御部の制御によって動作を遂行し、上記音声信号識別部からの入力音声信号から上記第２のマイクを介して入力された信号のノイズに基づいてノイズを除去するか、または、上記音声信号識別部からの音声信号と第２のマイクからの信号をノイズ除去処理なしにそのままバイパスするノイズ処理部と、上記制御部の制御によって動作を遂行し、上記ノイズ処理部を介して入力されたノイズ除去済み信号に対して更にフィルタリングを施すか、上記ノイズ処理部を介してバイパスされ入力された二つの入力信号を結合するか、または、フィルタリングまたは結合処理なしにそのままバイパスして上記サービス選択部に伝達する信号フィルタリング／結合処理部と、を含む。
【０００９】
上記音声録音機能処理部は、上記第１及び第２のマイクを介して受信された音響信号をモノ方式またはステレオ方式で録音することができる。モノ方式で録音する場合、上記第１及び第２のマイクを介して受信された音響信号は、上記音声及びノイズ処理部の信号フィルタリング／結合処理部によって結合され、上記音声録音機能処理部が、該結合された信号をエンコードしてメモリに格納し録音する。ステレオ方式で録音する場合、上記第１及び第２のマイクを介して受信された音響信号は、上記音声及びノイズ処理部の信号フィルタリング／結合処理部をそのままバイパスし、該バイパスした、第１及び第２のマイクを介して受信された音響信号は、上記音声録音機能処理部によってステレオ処理される。上記音声録音機能処理部は、上記第１及び第２のマイクを介して受信された音響信号をステレオ処理するためにステレオ処理部を含んでよい。
【００１０】
本発明の他の実施形態による移動通信端末における音声処理装置は、移動通信端末の一方側面に設けられた第１のマイクと、上記移動通信端末の他方側面に設けられた第２のマイクと、上記第１のマイクを介して受信した第１の音響信号及び上記第２のマイクを介して受信した第２の音響信号をバイパスして出力するか、または、上記第１の音響信号及び第２の音響信号からそれぞれノイズを除去して出力する音声及びノイズ処理部と、上記音声及びノイズ処理部から出力される信号をエンコードする音声録音機能処理部、及び上記第１の音響信号及び第２の音響信号の録音方式に応じて上記音声及びノイズ処理部及び上記音声録音機能処理部の作動を制御する制御部と、を含む。
【００１１】
上記第１の音響信号及び上記第２の音響信号の録音方式がモノ方式であれば、上記音声及びノイズ処理部は、上記第１の音響信号及び上記第２の音響信号に含まれたノイズを除去するノイズ処理部、及び上記ノイズ除去済みの第１の音響信号及び第２の音響信号を結合して合成信号を生成する信号フィルタリング／結合処理部を含んでよい。
【００１２】
上記第１の音響信号及び上記第２の音響信号の録音方式がモノ方式であれば、上記音声及びノイズ処理部は、上記第１の音響信号及び上記第２の音響信号に対するノイズ除去処理なしにそのままバイパスするノイズ処理部、及び上記バイパスされる上記第１の音響信号及び上記第２の音響信号を結合して合成信号を生成する信号フィルタリング／結合処理部を含んでよい。
【００１３】
上記第１の音響信号及び上記第２の音響信号の録音方式がステレオ方式であれば、上記音声及びノイズ処理部は、上記第１の音響信号及び上記第２の音響信号に対するノイズ除去処理なしにそのままバイパスしてよい。
【００１４】
一方、上述した目的を達成するための本発明による移動通信端末における音声処理方法は、音声通話機能が選択される場合に、制御部によって、音響信号主入力用として使用するための第１のマイクと外部に露出するように上記第１のマイクの方向とは異なる方向に設けられ音響信号補助入力用として使用するための第２のマイクを活性化し、音声及びノイズ処理部によって上記第１のマイクから入力された信号から第２のマイクから入力された信号のノイズに基づいてノイズを除去してから更にフィルタリングしてサービス選択部を介して音声コデック処理部に伝達し、音声コデック処理部によってコードしてモデムに出力するステップを含んでよい。
【００１５】
また、本発明による移動通信端末における音声処理方法は、音声録音機能が選択される場合に、上記制御部によって、上記移動通信端末のフォルダーまたはスライダーがオープンされた状態であれば上記第１及び第２のマイクを活性化し、音声及びノイズ処理部によって上記第１のマイクから入力された信号から第２のマイクから入力された信号のノイズに基づいてノイズを除去してから更にフィルタリングしてサービス選択部を介して音声録音機能処理部に伝達し、音声録音機能処理部によってエンコードしてメモリに格納し録音するステップを含んでよい。
【００１６】
また、本発明による移動通信端末における音声処理方法は、動画撮影機能が選択される場合に、上記制御部によって、上記第１及び第２のマイクを活性化し、音声及びノイズ処理部によって上記第１及び第２のマイクを介して入力された信号に対してノイズ除去処理や更なるフィルタリング処理を施すことなく第１及び第２のマイクの信号をモノ方式またはステレオ方式で選択的にメモリに格納し録音するステップを含んでよい。上記移動通信端末のユーザが動画撮影機能を選択して音響を録音する場合に、上記音響をステレオ方式で録音するかまたはモノ方式で録音するかをユーザに選択させることができる。
【００１７】
ここで、上記第１及び第２のマイクの信号をモノ方式で録音すると選択された場合に、上記のようにノイズ除去処理や更なるフィルタリング処理を施していない第１及び第２のマイクの信号をそのまま結合してサービス選択部を介して音声録音機能処理部に伝達し、音声録音機能処理部によってエンコードしてメモリに格納し録音する。
【００１８】
上記第１及び第２のマイクの信号をステレオ方式で録音すると選択された場合に、上記のようにノイズ除去処理や更なるフィルタリング処理が施されることなくそのままバイパスされた第１及び第２のマイクの信号をサービス選択部を介して音声録音機能処理部に伝達し、音声録音機能処理部によってステレオ処理しエンコードしてメモリに格納しステレオ方式で録音する。
【００１９】
そして、本発明による移動通信端末における音声処理方法は、音声録音機能が選択される場合に、上記制御部によって、上記移動通信端末のフォルダーまたはスライダーがクローズされた状態であれば上記第２のマイクを活性化し、音声及びノイズ処理部によって上記第２のマイクを介して入力された信号に対してノイズ除去処理や更なるフィルタリング処理を施すことなく第２のマイクの信号をそのままサービス選択部を介して音声録音機能処理部に伝達し、音声録音機能処理部によってエンコードしてメモリに格納し録音するステップを更に含んでよい。
【００２０】
また、本発明による移動通信端末における音声処理方法は、音声録音が選択された場合に、上記制御部によって、上記移動通信端末のフォルダーまたはスライダーがオープンされた状態であれば上記第１及び第２のマイクを活性化し、音声及びノイズ処理部によって上記第１及び第２のマイクを介して入力された信号に対してノイズ除去処理や更なるフィルタリング処理を施すことなく第１及び第２のマイクの信号をそのまま結合してサービス選択部を介して音声録音機能処理部に伝達し、音声録音機能処理部によってエンコードしてメモリに格納し録音するステップを更に含んでよい。
【００２１】
そして、上記移動通信端末のフォルダーまたはスライダーがクローズされた状態における音声録音機能を選択するための録音機能キーは、移動通信端末の外部に露出するように設けられていることを特徴とする。
【００２２】
本発明のまた他の実施形態による移動通信端末における制御部による音声処理方法は、上記第１のマイクを介して第１の音響信号を受信し、上記第２のマイクを介して第２の音響信号を受信するステップと、上記受信された第１の音響信号及び第２の音響信号の録音方式がモノ方式に設定されたかステレオ方式に設定されたかを判断するステップと、上記判断結果、上記受信された第１の音響信号及び第２の音響信号の録音方式がモノ方式に設定された場合に、上記第１の音響信号及び第２の音響信号を結合して合成信号を生成するステップと、上記合成信号をエンコードしてモノ方式で格納するステップと、上記判断結果、上記受信された第１の音響信号及び第２の音響信号の録音方式がステレオ方式に設定された場合に、第１の音響信号及び第２の音響信号をそれぞれエンコードしてステレオ方式で格納するステップと、を含む。
【００２３】
なお、上記判断結果、上記第１の音響信号及び第２の音響信号の録音方式がモノ方式に設定された場合に、第２の音響信号のノイズに基づいて上記第１の音響信号のノイズを除去するステップを更に含んでよい。
【発明の効果】
【００２４】
本発明は、音声通話時に複数のマイクを利用して周辺ノイズを除去することで高品質の音声通話及びビデオ通話が可能であり、ユーザが移動通信端末をオープンすることなく音声録音が可能であり、音声を録音する場合または動画撮影時の音響を録音する場合に移動通信端末に設けられた複数のマイクを効率よく活用して良質の録音が可能であり、移動通信端末のフォルダーまたはスライダーをクローズしておいた状態でも便利に録音可能であるため、移動通信端末における使用便利性を高めることができる。
【図面の簡単な説明】
【００２５】
【図１】本発明による移動通信端末における音声処理装置の構成を示した図である。
【図２】本発明による移動通信端末の音声処理装置における音声録音機能処理部内に備えられるステレオ処理部の構成を示した図である。
【図３】本発明による移動通信端末におけるマイク配置の一例を示した図である。
【図４】本発明による移動通信端末における録音機能キーの配置例を示した図である。
【図５】本発明による移動通信端末の音声処理装置において音声処理する過程を示した流れ図である。
【発明を実施するための形態】
【００２６】
以下、添付図面を参照して本発明の実施形態を説明する。
【００２７】
本発明は、移動通信端末に複数のマイクを設け、音声通話時に当該複数のマイクを利用して周辺ノイズを除去することで高品質の音声通話及びビデオ通話ができ、ユーザが移動通信端末をオープンすることなく音声録音ができ、音声を録音する場合または動画撮影時の音響を録音する場合に移動通信端末に設けられた複数のマイクを多様に効率よく活用して良質の録音ができるように実現される。
【００２８】
このような本発明の実現のための本発明による移動通信端末における音声処理装置は、図１に示したように第１及び第２のマイク１０ａ、１０ｂ、音声及びノイズ処理部２０、制御部３０、ユーザキー入力部４０、サービス選択部５０、音声録音機能処理部６０、音声コデック処理部７０、メモリ８０、及びモデム９０を備えてなる。
【００２９】
第１のマイク１０ａは、音声通話時に主マイクとして使用され、初期チューニング過程を通じてノイズ除去が効果的に行われるように各音声入力パラメーターが最適化される。そして、第２のマイク１０ｂは、第１のマイク１０ａの方向とは異なる方向に向かうように配置されるが、その理由は、第２のマイク１０ｂが第１のマイク１０ａの方向と同じ方向に配置されると、音声及びノイズ処理部２０における周辺ノイズ除去処理性能が劣るためであり、このため、第２のマイク１０ｂは、移動通信端末の設計及び開発過程において周辺ノイズ干渉の性能が保障される範囲内で外部音響録音を円滑に遂行することができる位置を選択して配置しなければならない。このような第１及び第２のマイク１０ａ、１０ｂは、制御部３０の制御によって選択的に活性化または非活性化される。
【００３０】
そして、音声及びノイズ処理部２０は、第１及び第２のマイク１０ａ、１０ｂから入力される音声及びノイズ信号を制御部３０の制御によって処理してサービス選択部５０に出力し、音声信号識別部２１、ノイズ処理部２２及び信号フィルタリング／結合処理部２３を備えてなる。
【００３１】
音声及びノイズ処理部２０は、制御部３０の制御によって音声通話、音声録音または動画撮影時の音響録音のために入力された音声及びノイズを処理し、音声通話の場合には第１及び第２のマイク１０ａ、１０ｂを介して入力された音声及びノイズ信号からノイズを除去してサービス選択部５０に出力し、音声録音の場合には第１及び第２のマイク１０ａ、１０ｂを介して入力された音声及びノイズ信号からノイズを除去してサービス選択部５０に出力するか、第２のマイク１０ｂのみを介して入力された信号をそのままサービス選択部５０に出力するか、または、第１及び第２のマイク１０ａ、１０ｂを介して入力された信号をそのまま結合してサービス選択部５０に出力し、動画撮影時の音響録音の場合にはモノ方式で録音できるように第１及び第２のマイク１０ａ、１０ｂを介して入力された信号を結合してサービス選択部５０に出力するか、または、ステレオ方式で録音できるように上記第１及び第２のマイク１０ａ、１０ｂを介して入力された信号を結合することなくそのままバイパスしてサービス選択部５０に出力する。
【００３２】
音声信号識別部２１は、制御部３０の制御によって動作を遂行し、その中に音声信号の識別のための信号識別情報が格納されており、第１及び第２のマイク１０ａ、１０ｂを介して信号が入力されると、当該信号識別情報に基づいて入力信号から音声信号を識別してノイズ処理部２２に出力する。音声信号識別部２１は、音声通話または音声録音を遂行する場合に、第１のマイク１０ａを介して主な音声信号とノイズとが一緒に入力され、第２のマイク１０ｂを介して相対的に弱い音声信号及びノイズが入力されると、その中に格納されている音声信号識別情報に基づいて当該第１及び第２のマイク１０ａ、１０ｂから入力される信号から音声信号を識別してノイズ処理部２２に出力する。
【００３３】
そして、ノイズ処理部２２は、制御部３０の制御によって動作を遂行し、入力信号からノイズを除去する処理を遂行するか、または入力信号をノイズ処理なしにそのままバイパスする処理を遂行する。音声からノイズを除去して音声通話や音声録音を遂行する場合には、第２のマイク１０ｂから入力されたノイズに基づいて音声信号処理部２１から入力された信号からノイズを除去するかまたは必要に応じてノイズを分離し、ノイズ除去なしに音声録音または動画撮影録音を遂行する場合には、入力された信号に対するノイズ除去処理を施すことなく信号をそのままバイパスさせる。
【００３４】
また、信号フィルタリング／結合処理部２３は、制御部３０の制御によって動作を遂行し、ノイズ処理部２２を介して入力された信号に対して更なるフィルタリングを施しノイズを除去してサービス選択部５０に伝達するか、ノイズ処理部２２を介して入力された音声信号（第１のマイクを介して受信された信号に相当する）及びノイズ信号（第２のマイクを介して受信された信号に相当する）を結合するか、または音声信号及びノイズ信号を結合することなくそのままバイパスしてサービス選択部５０に伝達する。信号フィルタリング／結合処理部２３は、音声からノイズを除去して音声通話や音声録音を遂行する場合にはノイズ処理部２２を介して入力される信号に対して更なるフィルタリングを施しノイズを除去して出力し、ノイズ除去なしに音声録音または動画撮影録音を遂行する場合にはノイズ処理部２２を介して入力される音声及びノイズ信号に対して更なるフィルタリングを施すことなく当該音声及びノイズ信号を結合するか（モノ方式録音の場合）、または音声及びノイズ信号を結合することなくそのままバイパスして（ステレオ方式録音の場合）出力する。
【００３５】
そして、サービス選択部５０は、制御部３０の制御によって駆動され、音声録音、動画撮影時の音声録音または音声通話のサービスを選択的に提供するように音声及びノイズ処理部２０から印加される信号を音声録音機能処理部６０と音声コデック処理部７０のいずれかに伝達する。音声録音や動画撮影時の音声録音を遂行する場合には音声及びノイズ処理部２０から印加される音響信号を音声録音機能処理部６０に伝達し、音声通話を遂行する場合には音声及びノイズ処理部２０から印加される音響信号を音声コデック処理部７０に伝達する。
【００３６】
音声録音機能処理部６０は、サービス選択部５０を介して伝達された音響信号をエンコードしてメモリ８０に格納し録音処理し、音声録音または動画撮影時の音声録音を遂行する場合にサービス選択部５０を介して伝達された音響信号をモノ方式またはステレオ方式で処理しエンコードしてメモリ８０に格納することで音響信号を録音する。
【００３７】
上記音声録音機能処理部６０は、上記第１及び第２のマイクから入力される信号をステレオ方式で録音するためにステレオ処理部１００を更に含んでよい。図２は、ステレオ処理部の構成を示した図である。
【００３８】
ステレオ処理部１００では、第１のマイク１０ａ及び第２のマイク１０ｂの位置、方向、及びマイク間の距離などを基準にして、各マイク信号の同期化に必要なパラメーターをあらかじめ計算し、格納しておく。
【００３９】
一方、第１のマイク１０ａ及び第２のマイク１０ｂの信号は、上記音声録音機能処理部６０のステレオ処理部への到逹時間に差が生じることがある。この場合、上記ステレオ処理部１００は、上記第１及び第２のマイク１０ａ、１０ｂからの信号を同期化しなければならない。
【００４０】
このために、上記ステレオ処理部１００は、活性化された第１のマイク１０ａ及び第２のマイク１０ｂの信号が上記音声録音機能処理部６０のステレオ処理部１００に到逹する時間差を知っていなければならない。
【００４１】
第１のマイクの入力信号ｓ１（ｔ）が第２のマイクの入力信号ｓ２（ｔ）より早く到逹する場合、第１の遅延時間調整部６１が第２のマイクの入力信号ｓ２（ｔ）が到逹するまで入力信号を遅延させる。また、第２のマイクの入力信号ｓ２（ｔ）が第１のマイクの入力信号ｓ１（ｔ）より早く到逹する場合、第２の遅延時間調整部６２が第１のマイクの入力信号ｓ１（ｔ）が到逹するまで入力信号を遅延させる。マイクの入力信号が既に同期化され同じ時間に到逹する場合は、第１の遅延時間調整部６１及び第２の遅延時間調整部６２では当該信号をバイパスする。
【００４２】
このように同期化された２つの音声信号は、ステレオ効果のために各遅延時間制御部６３、６４によって所定の時間遅延させた後、その入力信号を乗算器６５、６６によって調整する。
【００４３】
すなわち、第１のマイクの入力信号は、第１の遅延時間制御部６３によって所定の時間遅延された後、第１の乗算器６５によって元の大きさの所定レベル（例えば、９３．７５％）に減衰されてから、第２の加算器６８によって第２のマイクの入力信号と結合される。また、第２のマイクの入力信号は、第２の遅延時間制御部６４によって所定の時間遅延された後、第２の乗算器６６によって元の大きさの所定レベル（例えば、９３．７５％）に減衰されてから、第１の加算器６７によって第１のマイクの入力信号と結合される。
【００４４】
このように結合され生成された出力信号は、音響コデック処理部６９に入力されステレオ音響にエンコードされて録音される。
【００４５】
本発明によると、移動通信端末において２つのマイクが互いに異なる配向を有する場合、一方のマイクを基準にして、他方のマイクに対する音響信号の補正作業を遂行すればより効果的なステレオ音響を生成することができる。このためには、いずれか一方の入力信号に対する差引値を調整することで他方の入力信号に対する大きさを調整しなければならない。これは移動通信端末の製作時における初期音響試験過程で設定されなければならず、これを遅延時間制御部に反映することで可能になる。
【００４６】
音声コデック処理部７０は、サービス選択部５０を介して伝達された音響信号をコードしてモデム９０を介して伝送し、音声通話の場合にサービス選択部５０を介して伝達された音響信号をコードしてモデム９０を介して伝送することにより通話音声を通話相手の無線通信端末に伝送する。
【００４７】
そして、ユーザキー入力部４０は、移動通信端末の駆動を選択するためのキーを備え、また、音声通話機能、音声録音機能、動画撮影時の音声録音機能、モノ方式録音機能、及びステレオ方式録音機能などを選択して実行するための機能選択キーを備えており、ユーザの当該キー入力によって対応する機能選択キー入力情報を制御部３０に入力する。
【００４８】
また、制御部３０は、移動通信端末における音声処理のための諸般制御動作を遂行し、ユーザキー入力部４０を介して選択される機能に応じて音声及びノイズ処理部２０とサービス選択部５０の駆動を制御すると共に第１及び第２のマイク１０ａ、１０ｂの活性化及び非活性化を制御する。
【００４９】
制御部３０は、音声通話機能が選択される場合には、音声及びノイズ処理部２０で第１及び第２のマイク１０ａ、１０ｂを介して入力された音声及びノイズ信号からノイズを除去してサービス選択部５０に出力するように音声及びノイズ処理部２０を制御すると共にサービス選択部５０で音声及びノイズ処理部２０から印加された音響信号を音声コデック処理部７０に伝達するようにサービス選択部５０を制御する。
【００５０】
また、制御部３０は、音声録音機能が選択される場合には、移動通信端末のフォルダーまたはスライダーがオープン状態であるかクローズ状態であるかに応じて音声及びノイズ処理部２０で第１及び第２のマイク１０ａ、１０ｂを介して入力された音声及びノイズ信号からノイズを除去してサービス選択部５０に出力すると共にサービス選択部５０で音声及びノイズ処理部２０から印加された音響信号を音声録音機能処理部６０に伝達するようにサービス選択部５０を制御するか、音声及びノイズ処理部２０で第２のマイク１０ｂのみを介して入力された信号をそのままサービス選択部５０に出力するように音声及びノイズ処理部２０を制御すると共にサービス選択部５０で音声及びノイズ処理部２０から印加された音響信号を音声録音機能処理部６０に伝達するようにサービス選択部５０を制御するか、または、音声及びノイズ処理部２０で第１及び第２のマイク１０ａ、１０ｂを介して入力された信号をそのまま結合してサービス選択部５０に出力するように音声及びノイズ処理部２０を制御すると共にサービス選択部５０で音声及びノイズ処理部２０から印加された音響信号を音声録音機能処理部７０に伝達するようにサービス選択部５０を制御する。
【００５１】
また、制御部３０は、動画撮影時の音声録音機能が選択される場合には、録音方式がモノなのかまたはステレオなのかに応じて音声及びノイズ処理部２０で第１及び第２のマイク１０ａ、１０ｂを介して入力された信号を結合するか、または該信号を結合することなくそのままバイパスしてサービス選択部５０に出力するように音声及びノイズ処理部２０を制御すると共にサービス選択部５０で音声及びノイズ処理部２０から印加された音響信号を音声録音機能処理部６０に伝達するようにサービス選択部５０を制御する。
【００５２】
一方、第１のマイク１０ａと第２のマイク１０ｂとは互いに異なる方向に配設されており、フォルダータイプの移動通信端末の場合には、 図３の（ａ）に示したように 第１のマイク１０ａはフォルダーをオープンした時に露出するように配設され、第２のマイク１０ｂはフォルダーの外部に露出するように配設され、スライドタイプの移動通信端末の場合には、図２の（ｂ）に示したように第１のマイク１０ａはスライダーをオープンした時に露出するように配設され、第２のマイク１０ｂはスライダーの外部に露出するように配設される。
【００５３】
そして、音声録音を遂行する場合には、移動通信端末のフォルダーまたはスライダーをオープンした状態で音声録音するか、または移動通信端末のフォルダーまたはスライダーをクローズした状態で音声録音することができる。ユーザが移動通信端末のフォルダーまたはスライダーをクローズした状態でも音声録音を遂行できるようにするために録音機能キーが移動通信端末の外部に露出するように設けられる。フォルダータイプの移動通信端末の場合には、図４の（ａ）に示したようにフォルダーをクローズした状態でも操作できるように録音機能キーが端末外部の一方側面に設けられ、スライドタイプの移動通信端末の場合には、図４の（ｂ）に示したようにスライダーをクローズした状態でも操作できるように録音機能キーが端末外部の一方側面に設けられる。そして、録音機能キーの他、音声通話機能キーまたは動画撮影機能キーは、移動通信端末の本体に備えられるキーパッドに設けられ、必要に応じては当該キーパッドに録音機能キーを更に備えることもできる。
【００５４】
上述したような機能を備える本発明による移動通信端末における音声処理装置は、音声通話、音声録音及び動画撮影時の音声録音を遂行する場合に第１及び第２のマイク１０ａ、１０ｂを介して入力される音声信号を処理する動作を遂行しており、このような動作を遂行するにあたって、図５の流れ図に示したように動作を遂行する。
【００５５】
先ず、制御部３０は、ユーザキー入力部４０に備えられているキーが入力されると（ステップＳ３１）、該入力されたキーがどの機能を選択するキーであるかを判断する（ステップＳ３２）。
【００５６】
このとき、ユーザキー入力部４０から入力されたキーが音声通話のための機能キーであると判断される場合に、当該移動通信端末はフォルダーまたはスライダーをオープンして通話する状況であるので、制御部３０は第１及び第２のマイク１０ａ、１０ｂを活性化し（ステップＳ３３）、ユーザの音声通話によって第１のマイク１０ａと第２のマイク１０ｂを介して獲得した音声信号及びノイズ信号を音声及びノイズ処理部２０に入力する（ステップＳ３４）。これにより、第１のマイク１０ａを介して主な音声信号とノイズが一緒に入力され、第２のマイク１０ｂを介して相対的に弱い音声信号及びノイズが入力される。音声及びノイズ処理部２０の音声信号識別部２１は、制御部３０の制御によって駆動され、その中に格納されている音声信号の識別のための信号識別情報に基づいて第１及び第２のマイク１０ａ、１０ｂの入力信号から音声信号を識別してノイズ処理部２２に出力する。ノイズ処理部２２は、制御部３０の制御によって駆動され、第２のマイク１０ｂから入力されたノイズに基づいて音声信号処理部２１から入力された信号からノイズを除去する処理を遂行する（ステップＳ３５）。この場合、必要に応じてノイズ処理部２２はノイズ信号を分離することでもできる。このようにしてノイズ除去された音声信号は、信号フィルタリング／結合処理部２３に伝達される。信号フィルタリング／結合処理部２３は、制御部３０の制御によって駆動され、当該音声信号に対して更なるフィルタリングを施してサービス選択部５０に伝達する（ステップＳ３６）。サービス選択部５０は、信号フィルタリング／結合処理部２３から伝達された音声信号を制御部３０の制御によって音声コデック処理部７０に伝達する。次いで、音声コデック処理部７０は、伝達された音声信号をコードしてモデム９０に出力する（ステップＳ３７）。次いで、モデム９０は、伝達された音声信号を音声通話相手の移動通信端末に伝送する（ステップＳ３８）。次いで、制御部３０は、ユーザの音声通話が終了したか否かを確認し（ステップＳ３９）、音声通話が終了したと確認されると、第１及び第２のマイク１０ａ、１０ｂを非活性化させ（ステップＳ４０）、動作を終了する。
【００５７】
上述したステップＳ３２において、ユーザキー入力部４０から入力されたキーが音声録音のための機能キーであると判断される場合に、制御部３０は、当該移動通信端末のフォルダーまたはスライダーがオープンされている状態であるか、またはクローズされている状態であるかを確認する（ステップＳ４１）。当該移動通信端末がオープンされている状態であると確認されると、制御部３０は、第１及び第２のマイク１０ａ、１０ｂを活性化し（ステップＳ４２）、音声録音のために第１のマイク１０ａと第２のマイク１０ｂを介して獲得した音声信号及びノイズ信号を音声及びノイズ処理部２０に入力する（ステップＳ４３）。このとき、第１のマイク１０ａを介して主な音声信号とノイズが一緒に入力され、第２のマイク１０ｂを介して相対的に弱い音声信号及びノイズが入力される。音声及びノイズ処理部２０の音声信号識別部２１は、制御部３０の制御によって駆動され、その中に格納されている音声信号の識別のための信号識別情報に基づいて第１及び第２のマイク１０ａ、１０ｂの入力信号から音声信号を識別してノイズ処理部２２に出力する。ノイズ処理部２２は、制御部３０の制御によって駆動され、第２のマイク１０ｂから入力されたノイズに基づいて音声信号処理部２１から入力された信号からノイズを除去する処理を遂行する（ステップＳ４４）。この場合、必要に応じてノイズ処理部２２はノイズ信号を分離することもできる。このようにしてノイズ除去された音声信号は、信号フィルタリング／結合処理部２３に伝達される。信号フィルタリング／結合処理部２３は、制御部３０の制御によって駆動され、当該音声信号に対して更なるフィルタリングを施してサービス選択部５０に伝達する（ステップＳ４５）。サービス選択部５０は、信号フィルタリング／結合処理部２３から伝達された音声信号を制御部３０の制御によって音声録音機能処理部６０に伝達する。次いで、音声録音機能処理部６０は、伝達された音声信号をエンコードしてメモリ８０に出力し（ステップＳ４６）、メモリ８０は、伝達された音声信号を格納し録音する（ステップＳ４７）。その後、制御部３０は、音声録音が終了したか否かを確認し（ステップＳ４８）、音声録音が終了したと確認されると、第１及び第２のマイク１０ａ、１０ｂを非活性化させ（ステップＳ４９）、動作を終了する。
【００５８】
上述したステップＳ４１において当該移動通信端末がクローズされている状態であると確認されると、制御部３０は、移動通信端末の外部に設けられている第２のマイク１０ｂを活性化し（ステップＳ５０）、音声録音のために第２のマイク１０ｂを介して獲得した音響信号を音声及びノイズ処理部２０に入力する（ステップＳ５１）。次いで、音声及びノイズ処理部２０のノイズ処理部２２は、制御部３０の制御によって駆動され、第２のマイク１０ｂから入力された音響信号に対するノイズ除去処理を施すことなく当該音響信号をそのままバイパスする処理を遂行する（ステップＳ５２）。このようにバイパスされた音響信号は、信号フィルタリング／結合処理部２３に伝達される。信号フィルタリング／結合処理部２３は、制御部３０の制御によって駆動され、該バイパスされた音響信号に対して更なるフィルタリングを施すことなくそのままサービス選択部５０に伝達する。サービス選択部５０は、信号フィルタリング／結合処理部２３から伝達された音響信号を制御部３０の制御によって音声録音機能処理部６０に伝達する。次いで、音声録音機能処理部６０は、伝達された音響信号をエンコードしてメモリ８０に出力し（ステップＳ５３）、メモリ８０は、伝達された音響信号を格納し録音する（ステップＳ５４）。その後、制御部３０は、録音が終了したか否かを確認し（ステップＳ５５）、録音が終了したと確認されると、第２のマイク１０ｂを非活性化させ（ステップＳ５６）、動作を終了する。
【００５９】
上述したステップＳ３２においてユーザキー入力部４０から入力されたキーが動画撮影のための機能キーであると判断される場合に、当該移動通信端末はフォルダーまたはスライダーをオープンして動画撮影を遂行する状況であるので、制御部３０は、第１及び第２のマイク１０ａ、１０ｂを活性化し（ステップＳ５７）、動画撮影によって第１のマイク１０ａと第２のマイク１０ｂを介して獲得した音響信号を音声及びノイズ処理部２０に入力する（ステップＳ５８）。次いで、音声及びノイズ処理部２０の音声信号識別部２１は、制御部３０の制御によって駆動され、第１及び第２のマイク１０ａ、１０ｂから入力された音響信号をそのままノイズ処理部２２に出力する。ノイズ処理部２２は、制御部３０の制御によって駆動され、第１及び第２のマイク１０ａ、１０ｂから入力された音響信号に対するノイズ除去処理を施すことなくバイパスして信号フィルタリング／結合処理部２３に伝達する（ステップＳ５９）。
【００６０】
このとき、上記選択された録音方式がモノ方式であるか、またはステレオ方式であるかを判断する（ステップＳ６０）。上記ステップＳ６０において判断した結果、選択録音方式がモノ方式である場合、信号フィルタリング／結合処理部２３は、ノイズ処理部２２からバイパスされ伝達された第１及び第２のマイク１０ａ、１０ｂの音響信号に対して更なるフィルタリング処理を施すことなく、当該二つの音響信号を結合させ合成してサービス選択部５０に伝達する。サービス選択部５０は、信号フィルタリング／結合処理部２３から伝達された音響信号を制御部３０の制御によって音声録音機能処理部６０に伝達する（ステップＳ６１）。
【００６１】
上記ステップＳ６０において判断した結果、上記選択された録音方式がステレオ方式である場合、信号フィルタリング／結合処理部２３は、ノイズ処理部２２からバイパスされ伝達された第１及び第２のマイク１０ａ、１０ｂの音響信号に対して更なるフィルタリング処理または信号結合を施すことなく、そのままサービス選択部５０に伝達し、上記サービス選択部５０は、信号フィルタリング／結合処理部２３から伝達された音響信号を制御部３０の制御によって音声録音機能処理部に伝達する（ステップＳ６６）。音声録音機能処理部６０のステレオ処理部１００は、伝達された音響信号をステレオ処理する（ステップＳ６７）。
【００６２】
次いで、上記音声録音機能処理部６０は、モノまたはステレオ処理された音響信号をエンコードしてメモリ８０に出力し（ステップＳ６２）、メモリ８０は、伝達された音響信号を格納し録音する（ステップＳ６３）。その後、制御部３０は、動画撮影が終了したか否かを確認し（ステップＳ６４）、動画撮影が終了したと確認されると、第１及び第２のマイク１０ａ、１０ｂを非活性化させ（ステップＳ６５）、動作を終了する。
【００６３】
上述したように、本発明による移動通信端末における音声処理装置では、音声通話を遂行する場合には音声及びノイズ処理部２０によって第１及び第２のマイク１０ａ、１０ｂを介して入力される音声及びノイズ信号からノイズを除去してサービス選択部５０に出力し、サービス選択部５０は当該ノイズ除去された音声信号を音声コデック処理部７０に伝達し、音声コデック処理部７０は当該音声信号をコードしてモデム９０を介して通話相手の移動通信端末に伝送することで、良質の音声通話を可能にする。
【００６４】
そして、音声録音を遂行する場合に、当該移動通信端末のフォルダーまたはスライダーがオープンされていると、音声及びノイズ処理部２０は第１及び第２のマイク１０ａ、１０ｂを介して入力された音声及びノイズ信号からノイズを除去してサービス選択部５０に出力し、サービス選択部５０は当該ノイズ除去された音声信号を音声録音機能処理部６０に伝達し、音声録音機能処理部６０は当該信号をエンコードしてメモリ８０に格納し録音する。また、音声録音を遂行する場合に、当該移動通信端末のフォルダーまたはスライダーがクローズされていると、音声及びノイズ処理部２０は第２のマイク１０ｂのみを介して入力された信号に対してノイズ除去処理または更なるフィルタリング処理を施すことなくそのままバイパスさせてサービス選択部５０に出力し、サービス選択部５０は当該信号を音声録音機能処理部６０に伝達し、音声録音機能処理部６０は当該信号をエンコードしてメモリ８０に格納し録音する。このように、移動通信端末のフォルダーまたはスライダーをクローズした状態で音声録音を遂行する場合に、ユーザは、図４に示したように移動通信端末の外部に露出するように設けられている録音機能キーを手動操作して音声録音を行うことができる。
【００６５】
また、移動通信端末のフォルダーまたはスライダーをオープンしておいた状態で動画撮影を遂行する場合に、音声及びノイズ処理部２０は第１及び第２のマイク１０ａ、１０ｂを介して入力された音響信号に対してノイズ除去処理または更なるフィルタリング処理を施すことなく当該第１及び第２のマイク１０ａ、１０ｂの音響信号を結合するか、該音響信号を結合することなくそのままバイパスしてサービス選択部５０に出力し、サービス選択部５０は当該結合された音響信号を音声録音機能処理部６０に伝達し、音声録音機能処理部６０は当該信号をモノ方式でそのままエンコードするか、またはそのままバイパスされた音響信号をステレオ処理してからエンコードしてメモリ８０に格納し録音する。
【００６６】
一方、上述した説明では、音声録音を遂行する場合に、移動通信端末のフォルダーまたはスライダーをオープンしておいた状態では音声及び録音処理部２０によって第１及び第２のマイク１０ａ、１０ｂを介して入力された信号からノイズを除去して録音し、また、移動通信端末のフォルダーまたはスライダーをクローズしておいた状態では音声及び録音処理部２０によって第２のマイク１０ｂを介して入力された音響信号に対するノイズ除去または更なるフィルタリング処理なしにそのまま録音するとしたが、これに限定されるものではなく、移動通信端末のフォルダーまたはスライダーをオープンしておいた状態で音声録音を遂行する場合に、音声及び録音処理部２０によって第１及び第２のマイク１０ｂを介して入力された音響信号に対するノイズ除去処理または更なるフィルタリング処理なしに当該第１及び第２のマイク１０ａ、１０ｂの音響信号をそのまま結合させて録音する方式で録音することもできる。
【００６７】
本発明は、上述した説明に限定されるものではなく、本発明が属する技術分野における通常の知識を有する者であれば種々の形態に変更し実施することができるはずであり、かかる変更実施は本発明の技術的範疇に該当することは言うまでもない。
【産業上の利用可能性】
【００６８】
上述したように、本発明は、音声通話時に複数のマイクを利用して周辺ノイズを除去することで高品質の音声通話及びビデオ通話が可能であり、ユーザが移動通信端末をオープンすることなく音声録音が可能であり、音声録音の場合または動画撮影時の音響録音の場合に、移動通信端末に備えられた複数のマイクを効率よく活用して良質の録音が可能であり、移動通信端末のフォルダーまたはスライダーをクローズしておいた状態でも便利に録音可能であるため、改善された移動通信端末の使用便利性を提供することができる。
【図１】
0004847590.tif 000002
【図２】
0004847590.tif 000003
【図３】
0004847590.tif 000004
【図４】
0004847590.tif 000005
【図５】
0004847590.tif 000006